(57)【要約】【課題】デザインに制限を受けたりデザインの基調を崩すことなく、簡単な構成で非点灯時のリフレクタの色の変化をグラデーションとして見せることができる車両用灯具を提供すること。【解決手段】ハウジング２とその開口部を覆うアウタレンズ４によって画成された灯室４内に、少なくともバルブ（光源）６と、該バルブ６からの光が到達しないダミー部７Ｂを有するリフレクタ７を収容して成るポジションランプ（車両用灯具）１において、前記リフレクタ７のダミー部７Ｂにスリット状の複数の孔７ｃを車幅方向に沿って適当な間隔で形成し、これらの孔７ｃの大きさを車幅方向外側に向かって漸次大きく設定する。【選択図】図１
2014182886.tif 000002
【特許請求の範囲】
【請求項１】
ハウジングとその開口部を覆うアウタレンズによって画成された灯室内に、少なくとも光源と、該光源からの光が到達しないダミー部を有するリフレクタを収容して成る車両用灯具において、
前記リフレクタのダミー部にスリット状の複数の孔を車幅方向に沿って適当な間隔で形成し、これらの孔の大きさを車幅方向外側に向かって漸次大きく設定したことを特徴とする車両用灯具。
【請求項２】
前記光源からの光の出射方向において、前記リフレクタの少なくともダミー部を前記ハウジングの前方に配置したことを特徴とする請求項１記載の車両用灯具。
【請求項３】
前記光源からの光の出射方向において、前記リフレクタの少なくともダミー部を前記ハウジングと略同位置に配置したことを特徴とする請求項１記載の車両用灯具。
【請求項４】
前記光源からの光の出射方向において、前記リフレクタの少なくともダミー部を前記ハウジングの後方に配置したことを特徴とする請求項１記載の車両用灯具。
【発明の詳細な説明】
【技術分野】
【０００１】
本発明は、発光部として使用しないダミー部を有するリフレクタを備える車両用灯具に関するものである。
【背景技術】
【０００２】
車両の前部左右に配置されるヘッドランプやポジションランプ等の車両用灯具は、ハウジングとその開口部を覆うアウタレンズによって画成された灯室内に、少なくとも光源と、該光源からの光を反射させるリフレクタを収容して構成されている。
【０００３】
ところで、斯かる車両用灯具には、車体のデザインの関係から、リフレクタに発光部として使用しないダミー部（光源からの光が到達しない無効部）を設けたものがある。このような車両用灯具において、アウタレンズが透明である場合には、リフレクタは外部から素通し状態で視認されるため、消灯時の美観を整える目的で、ダミー部についても発光部と同様のダミー反射面が形成される（例えば、特許文献１参照）。
【０００４】
而して、ハウジングは黒色樹脂にて成形されることが多く、リフレクタの反射面には反射処理として銀色のアルミ蒸着が施されているため、非点灯時にリフレクタのダミー部を銀色から黒色へと徐々に移り変わるグラデーションとして見せることが行われているが、その方法には以下の２つの方法がある。
【０００５】
即ち、アウタレンズにレンズカットを施してハウジングの色（黒色）を拾って色の変化をグラデーションとして見せる方法と、リフレクタのダミー反射面にハウジングの色（黒色）と同色の塗装を交互に施して色の変化をグラデーションとして見せる方法の２方法である。
【先行技術文献】
【特許文献】
【０００６】
【特許文献１】特開２０００−１７３３１８号公報
【発明の概要】
【発明が解決しようとする課題】
【０００７】
しかしながら、前者の方法には、アウタレンズにレンズカットを施すために、車両用灯具全体のデザインが崩れたり、デザインが制限を受ける等の問題がある。
【０００８】
又、後者の方法では、リフレクタの反射面（アルミ蒸着面）にマスキングを交互に施して塗装を行う必要があるため、コストアップの原因になるという問題がある。
【０００９】
本発明は上記問題に鑑みてなされたもので、その目的とする処は、デザインに制限を受けたりデザインの基調を崩すことなく、簡単な構成で非点灯時のリフレクタの色の変化をグラデーションとして見せることができる車両用灯具を提供することにある。
【課題を解決するための手段】
【００１０】
上記目的を達成するため、請求項１記載の発明は、ハウジングとその開口部を覆うアウタレンズによって画成された灯室内に、少なくとも光源と、該光源からの光が到達しないダミー部を有するリフレクタを収容して成る車両用灯具において、前記リフレクタのダミー部にスリット状の複数の孔を車幅方向に沿って適当な間隔で形成し、これらの孔の大きさを車幅方向外側に向かって漸次大きく設定したことを特徴とする。
【００１１】
請求項２記載の発明は、請求項１記載の発明において、前記光源からの光の出射方向において、前記リフレクタの少なくともダミー部を前記ハウジングの前方に配置したことを特徴とする。
【００１２】
請求項３記載の発明は、請求項１記載の発明において、前記光源からの光の出射方向において、前記リフレクタの少なくともダミー部を前記ハウジングと略同位置に配置したことを特徴とする。
【００１３】
請求項４記載の発明は、請求項１記載の発明において、前記光源からの光の出射方向において、前記リフレクタの少なくともダミー部を前記ハウジングの後方に配置したことを特徴とする。
【発明の効果】
【００１４】
本発明によれば、車両用灯具の非点灯時において、リフレクタのダミー部に形成された複数のスリット状の孔を通過した光がハウジングの色（黒色）を拾うため、リフレクタのダミー部にはハウジングの色（黒色）とリフレクタの反射面の色（アルミ蒸着の銀色）とが交互に映し出されて色のグラデーションが表現される。この場合、スリット状の複数の孔の大きさを車幅方向外側に向かって漸次大きく設定したため、リフレクタの反射面の色（銀色）からハウジングの色（黒色）への移り変わりをさりげなく行うことができ、リフレクタとその周辺部品であるハウジングとの色の繋がりを違和感なく自然な形で行うことができる。又、車両用灯具の点灯時においては、リフレクタのダミー部に形成されたスリット状の複数の孔によって高い点灯フィーリングが全幅に亘って保たれる。
【００１５】
そして、以上の効果はリフレクタのダミー部にスリット状の孔を形成するだけの簡単な構成によって実現されるため、コストダウンが図られる。又、インナレンズ等へのレンズカットが不要となるため、車両用灯具のデザインの基調が崩れたり、デザインが制限されることがない。
【図面の簡単な説明】
【００１６】
【図１】本発明に係る車両用灯具の平断面図である。
【図２】図１の要部拡大詳細図である。
【図３】本発明に係る車両用灯具のリフレクタの斜視図である。
【図４】本発明の他の実施の形態を示す車両用灯具要部の平断面図である。
【図５】本発明の他の実施の形態を示す車両用灯具要部の平断面図である。
【発明を実施するための形態】
【００１７】
以下に本発明の実施の形態を添付図面に基づいて説明する。
【００１８】
図１は本発明に係る車両用灯具の平断面図、図２は図１の要部拡大詳細図、図３は同車両用灯具のリフレクタの斜視図であり、本実施の形態に係る車両用灯具１は、車両の前部左右に配置されるポジションランプである。尚、左右のポジションランプ１の構成は左右対称であって、その基本構成は左右で同じであるため、以下、一方の構成についてのみ説明する。
【００１９】
図１に示すように、本実施の形態に係るポジションランプ１は、ハウジング２とその開口部を覆うインナレンズ３とアウタレンズ４によって画成される灯室５内に、光源であるバルブ６と、該バルブ６からの光を反射させるリフレクタ７を収容して構成されている。
【００２０】
上記ハウジング２は、例えば光不透過性の黒色樹脂によって車幅方向（図１の左右方向）に細長いボックス状に一体成形されており、その開口部を覆う前記インナレンズ３とアウタレンズ４は透明な素通しの樹脂によって車幅方向に細長い円弧曲面状に一体成形されている。
【００２１】
図３に示すように、前記リフレクタ７の車幅方向内側部分には、前記バルブ６が貫通するための円孔８が形成されている。そして、リフレクタ７には、山形形状に屈曲成形された縦方向に長い複数の短冊状の反射面７ａ，７ｂが幅方方向に沿っており、これらの反射面７ａ，７ｂはバルブ６からの光が到達する発光部を構成している。又、リフレクタ７の幅方向外側はバルブ６からの光が到達しないダミー部をこうせいしており、このダミー部には、バルブ６からの光が通過する縦方向に長いスリット状の複数の孔７ｃが車幅方向に沿って適当な間隔で形成されている。尚、反射面７ａ，７ｂには反射処理として銀色のアルミ蒸着が施されている。
【００２２】
而して、本実施の形態では、リフレクタ７のダミー部には縦方向に長いスリット状の複数の孔７ｃが車幅方向に沿って適当な間隔で形成されており、これらの孔７ｃの大きさ（幅寸法）は車幅方向外側に向かって（図１〜図３の右方から左方に向かって）漸次大きく設定されている。
【００２３】
而して、ポジションランプ１の非点灯時においては、図２に実線矢印にて示すようにリフレクタ７のダミー部に形成された複数のスリット状の孔７ｃを通過した光Ｌ１がハウジング２に到達し、該ハウジング２の内面で反射してハウジング２の黒色を拾い、図２に破線矢印にて示すように孔７ｃを通過しない光Ｌ２は反射面７ｂにて反射してアルミ蒸着の色である銀色を拾うため、リフレクタ７のダミー部にはハウジングの黒色とリフレクタ７の反射面７ｂの銀色とが交互に映し出されて色のグラデーションが表現される。この場合、前述のようにスリット状の複数の孔７ｃの大きさを車幅方向外側に向かって漸次大きく設定したため、リフレクタ７の反射面７ｂの銀色からハウジング２の黒色への色の移り変わりがさりげなく行われ、リフレクタ７とその周辺部品であるハウジング２との色の繋がりが違和感なく自然な形で行われる。尚、ポジションランプ１の点灯時においては、リフレクタ７のダミー部に形成されたスリット状の複数の孔７ｃによって高い点灯フィーリングが全幅に亘って保たれる。
【００２４】
そして、以上の効果はリフレクタ７のダミー部にスリット状の孔７ｃを形成するだけの簡単な構成によって実現されるため、コストダウンが図られる。又、インナレンズ３等へのレンズカットが不要となるため、ポジションランプ１のデザインの基調が崩れたり、デザインが制限されることがない。
【００２５】
ところで、以上の実施の形態では、リフレクタ７のダミー部をハウジング２の前方に配置したが、図４の平断面図に示すようにハウジング２の背面に凹部２ａと凸部２ｂを交互に複数形成し、凸部２ｂをリフレクタ７のダミー部に形成された孔７ｃに嵌め込んでハウジング２の凸部２ｂとリフレクタ７のダミー部（反射面７ｂ）とが前後方向において略同位置に配置されるようにしても良い。或いは、図５に示すように、ハウジング２の凸部２ｂをリフレクタ７の孔７ｃに貫通させ、リフレクタ７のダミー部（反射面７ｂ）をハウジング２の凸部２ｂの後方に配置するようにしても良い。
【００２６】
尚、以上は本発明をポジションランプに対して適用して形態について説明したが、本発明は、リフレクタにダミー部を有する他の車両用灯具に対しても同様に適用可能であることは勿論である。
【符号の説明】
【００２７】
１          ポジションランプ（車両用灯具）
２          ハウジング
２ａ        ハウジングの凹部
２ｂ        ハウジングの凸部
３          インナレンズ
４          アウタレンズ
５          灯室
６          バルブ（光源）
７          リフレクタ
７ａ，７ｂ  リフレクタの反射面
７ｃ        リフレクタの孔
８          リフレクタの円孔
Ｌ１，Ｌ２  光
【図１】
2014182886.tif 000003
【図２】
2014182886.tif 000004
【図３】
2014182886.tif 000005
【図４】
2014182886.tif 000006
【図５】
2014182886.tif 000007